(57)【要約】    【課題】  仰臥用書見装置を安価に提供する。    【解決手段】  寝具Ｆの側端部近傍又は前端部近傍に安定するように設置した所定高さの物入れ箱７１上に取り付けてある梁部材支持具７３に、一端部を支持してある梁部材７５の他端部近傍に書物保持具１を吊支することにより仰臥状態で読書可能としてある。梁部材７５は、梁部材支持具７３に所定角度範囲で揺動可能となっているので、移動容易である。書物保持具１は保持すべき本Ｂの縦方向と平行するように設けられた背板に、上記した梁部材７５へ所望の角度で吊支可能とする吊支手段３３を有する。背板の上下両端部には下保持部３７及び上保持部３９を備えている。これらの両保持部によって本の見開き面を下向きにした状態で保持可能とするものである。既存の家具等に取付け容易なので、安価に提供可能となる。    【選択図】  図８
0003127332.tif 000002
【実用新案登録請求の範囲】
【請求項１】
寝具の側端部又は前端部に安定するように立設した支持台に支持された梁部材の所望位置に取り付け可能かつ仰臥状態で読書可能に書物を保持する書物保持具を備えた仰臥用書見装置において、
上記書物保持具は所定の幅と上記書物の縦長寸法に対応する長さを有する背板の上下両端部に、上記背板の前方へ立ち上げてなる立ち上げ部と、該立ち上げ部の各先端に上記背板と平行するように設けてある所定幅の当接部からなる下保持部及び上保持部を備えているとともに、上記背板の要所に上記書物保持具を上記梁部材へ所望の高さ及び傾角で吊支可能とする吊支手段を備えている
ことを特徴とする仰臥用書見装置。
【請求項２】
請求項１において、上記支持台は所定高さの本箱等の物入れ箱であり、上記物入れ箱の上部に取り付けてある梁部材支持具を介して上記梁部材の一端部を支持してあることを特徴とする仰臥用書見装置。
【請求項３】
請求項２において、上記梁部材支持具は、上記梁部材の一端を所定角度範囲で揺動可能に支持可能であり、扇形に形成された本体上板部の一辺に上記物入れ箱の縁部に係合可能な係止片が設けてあるとともに、上記一辺と所定角度をなす他辺には、当該梁部材支持具の後退を防ぐストッパ部材が設けてあることを特徴とする仰臥用書見装置。
【請求項４】
請求項１ないし請求項３のいずれかにおいて、上記背板は上記下保持部と一体の第１の背板と、上記上保持部と一体の第２の背板とが相互に重なり合った状態で摺動することにより、保持すべき書物のサイズの変化に対応して調節可能としてあり、上記１対の背板には、上記下保持部と上記上保持部とを所望の間隔に保持する位置決め手段が設けてあることを特徴とする仰臥用書見装置。
【請求項５】
請求項１ないし請求項４のいずれかにおいて、上記当接部は上記下保持部の当接部の幅を上記上保持部の当接部の幅よりも小さくしてあることを特徴とする仰臥用書見装置。
【請求項６】
請求項１ないし請求項５のいずれかにおいて、上記各保持部は少なくとも上記当接部を透明体としてあることを特徴とする仰臥用書見装置。
【考案の詳細な説明】
【技術分野】
【０００１】
本考案は、仰臥状態で読書を容易にする仰臥用書見装置に関するものである。
【背景技術】
【０００２】
周知のとおり、寝る前に寝具に入った状態又は入院患者等は仰臥した状態での読書願望がある。仰臥した状態で読書をするためには両手で本を開いて視力と一致する位置に保持する必要があるが、この状態を持続させることは困難である。そこで、仰臥した状態で読書可能に本を見開き状態で保持することを可能にしたいわゆる仰臥用書見装置に関するいくつかの特許文献がある。
【０００３】
特許文献１には、台座に支柱を立て、この支柱の先端に水平方向に回動自在な回転軸を支持し、この回転軸の先端部にアームを設け、このアームと一体に本を載せる架台枠を所望の傾斜角になるように設け、この架台枠に滑り止め付きの透明板を嵌め込んでなる仰臥読書スタンドが記載されている。架台枠上に本の見開き面を下向きに載せ、仰臥した状態で下から透明板を透かして読み取り可能としてある。特許文献２には、昇降可能な１対の支持柱を設け、それらの上端部に上下法王に揺動可能なアーム部材を設け、これらのアーム部材の内側に設けたスライド溝間に透明載置板の両縁部を摺動可能に架け渡したものからなる仰臥用読書スタンドが記載されている。これも透明板上に本の見開き面を下向きにして載置し、下から透明板を透かして読み取り可能とするものである。特許文献３には、台上に立設された支柱に、上下方向へ揺動可能に自在アームを設け、さらにこの自在アームの先端に同じく上下方向へ揺動可能な支持アームを設け、この支持アーム上にこれを跨ぐように支持翼を設け、この素地翼の先端にＶ字形の受け板を回動自在に支持したものからなる仰臥用書見装置が記載されている。１対のＶ字形の受け板で本の見開き面を下向きに下状態で指示可能であり、片手で受け板を動かしてページめくりを可能としたところに特徴がある。
【０００４】
【特許文献１】実開平６−６６３７４号公報
【特許文献２】特開平９−７５１３９号公報
【特許文献３】特開２０００−１３９５８０号公報
【考案の開示】
【考案が解決しようとする課題】
【０００５】
上記の各特許文献記載の書見装置等は、それぞれ利用目的に対応してそれぞれの機能を果たし得るものと思料する。しかしながら、特許文献１記載の考案は、構成が簡単である分強度的に問題があり、いわゆる文庫本のような軽量物以外は利用困難であることが危惧される。また、透明板上に載せるものであることから、ページめくりが面倒なことが考えられる。特許文献２記載の発明は、構造が堅固であるため強度的な問題はない反面、重量が大きくなることからふとんなどの寝具の下に座板を出し入れする操作が面倒であるほか、価格が高くなり、さらにページめくりが面倒であるという問題が生じる。特許文献３記載の発明は、人口透析患者等のごとく片手しか使いないような状態になっているような人々には朗報であるが、両手を使うことができる人々にとっては、受け板で見開き面の多くの割合を覆ってしまうことから頻繁に受け板をずらしながら読まなければならないため、煩わしいものとなる懸念がある。本考案は、見開き面をなるべく多く開放し、直接的に目視可能とするとともに、ページめくりが容易な構造の仰臥用書見装置を安価に提供しようとするものである。
【課題を解決するための手段】
【０００６】
上記の課題を解決するために、本考案の仰臥用書見装置は、以下の手段を採用することにより以下の作用効果を生じるようにしたものである。請求項１に記載の考案の仰臥用書見装置は、寝具の側端部又は前端部に安定するように立設された支持台に支持された梁部材の所望位置に取り付け可能かつ仰臥状態で読書可能に書物（以下「本」と呼ぶことがある）を保持する書物保持具を備えたものからなる。上記の書物保持具は、所定の幅と書物の縦長寸法に対応する長さを有する背板の上下両端部に、この背板の前方へ立ち上げてなる立ち上げ部と、この立ち上げ部の各先端に背板と平行するように設けてある所定幅の当接部からなる下保持部及び上保持部を備えているとともに、背板の要所にこの書物保持具を上記した梁部材へ所望の高さ及び傾角で吊支可能とする吊支手段を備えているところに特徴がある。ここで立ち上げ部とは、背板と直角に形成し、保持すべき本の厚さに対して充分な高さを有する板部材を指す。また、当接部とは上記の各立ち上げ部の先端部にこれと直角かつ保持すべき本の上下方向と直交するように設けたもので、本の見開き面の上下端部近傍を支持するための部材を指す。
【０００７】
上記構成において、この書物保持具を吊支手段により梁部材に吊支する前の行程として本の上端部側を上保持部の内側に差し込んでから少し持ち上げ、次いでこの本の下端部側を下保持部の内側に差し込み、当接部の内側に落とし込む。このように本を保持して装着した後、この書物保持具は吊支手段を介して持ち上げると、本は重力により開いた状態かつ下保持部及び上保持部をなす当接部の背面側と読もうとする本の見開き面を対向した状態に保持される。こうして吊支手段を介して梁部材の所望位置に吊支すると、予め設定した角度の傾き角で見開き面が下（斜め）向き状態に保持可能なので、仰臥状態でその見開き面を読むことが可能となる。見開き面のほぼ全面が直接仰臥者の視野に入るので読みやすく、ページめくりも容易となっている。この考案に係る書物保持具は構成がきわめて簡単のものであるため、安価に提供可能となる。
【０００８】
請求項２に記載した考案は、本考案の他の手段を採用したものである。すなわち、上記の支持台として所定高さの本箱等の物入れ箱を採用し、上記の梁部材は物入れ箱の上部に取り付けてある梁部材支持具（以下「支持具」と略称することがある。）を介して一端部を支持してあるところに特徴がある。ここで梁部材支持具とは、書物保持具を支持した梁部材を物入れ箱上に取り付けるための手段としての物品を指すものとする。この支持具は、物入れ箱上に挿着可能なものであり、支持する梁部材に曲げモーメントが作用しても箱上から離反しない構成を採用してある。物入れ箱は、本箱など既存の小物家具を利用可能であるため、支持台の費用を安くすることが可能となる。書物保持具、梁部材支持具及び梁部材の３点をセットとして商品化すれば、全体の費用が安くつく利点があるため、仰臥用書見装置の普及促進に貢献する。
【０００９】
請求項３に記載した考案は、請求項２に記載した梁部材支持具について具体化したものである。すなわち、この支持具は、上記した梁部材の一端を所定角度範囲で揺動可能に支持可能であり、扇形に形成された本体上板部の一辺には、上記の物入れ箱の縁部に係合することにより、この一辺が縁部から離反することを阻止する係止片が設けてあるとともに、上記の一辺と所定角度をなす他辺には、この梁部材支持具の後退を防ぐストッパ部材が設けてあるところに特徴がある。ここで本体上板部とは、梁部材支持具の中核となる部材を指し、この本体上板部に各要素が附属する関係にある部材をいう。
【００１０】
この考案は、梁部材を揺動自在としてあるため、寝起きする際には梁部材に書物保持具を吊支した状態でこれを使用者の仰臥位置からずらしておき、仰臥した後にこれを読書に適する位置まで揺動により移動させるようにすることが容易となる。また、梁部材支持具の自重だけでは梁部材を支持することはできないので、本体上板部の一辺を立ち下げ、さらに本箱等の天井板の背後に張り出している部分である縁部に係合可能な係止片を形成して上記の縁部に係合させることにより、梁部材による曲げモーメントに耐え得るようにしてある。さらに、この係合部が本箱等の縁部から外れると、支持具は梁部材の曲げモーメントに抗し得ないので、この支持具がずれることを防ぐためのストッパ部材を設けることにより書物保持具の吊支を保障するようにしてある。木ねじなどを用いずに取付け可能な構成となっているため、本箱等を傷付けることなく利用可能となる特徴がある。
【００１１】
請求項４に記載した考案は、上記の書物保持具として他の手段を採用したものである。すなわち、上記の書物保持具を構成する背板は、上記の下保持部と一体の第１の背板と、上記の上保持部と一体の第２の背板との１対が相互に重なりあった状態で摺動することにより、保持すべき本のサイズ変化に対応して間隔を調節可能としてあり、これら１対の背板には、下保持部と上保持部とを所望の間隔に保持する位置決め手段が設けてあるところに特徴がある。これは１対の背板同士を上下方向に摺動可能とすることにより、下保持部と上保持部との間隔を調整可能となることから、複数種類の大きさの本に対応可能となる。本のサイズに合わせて上記の間隔を設定し、位置決め手段で間隔を固定すれば、請求項１に記載した書物保持具と同様の機能を有するものとなる。したがって複数種類のサイズの保持具を別に用意する必要がなくなる。
【００１２】
請求項５に記載した考案は、上記の各考案において、上記した各保持部をなす当接部は下保持部の当接部の幅を、上保持部の当接部の幅よりも小さくしてあるところに特徴がある。読もうとする本の保持は、上下の当接部により担われるが、下保持部の当接部は、背板から前方へ立ち上げてなる立ち上げ部に、本の下端部が当接した状態となる。これに対し、上保持部としての当接部は、下保持部の立ち上げ部が本を支持した状態の下で、本の上端部との間に余裕を持たせるようにしたものである。すなわち、本の上方に本を上下動するための余裕を設けたことにより、着脱操作を容易にしたものである。したがって、本の上端部近傍を保持するのは上保持部の当接部の先端部から特定の範囲までとなる。
【００１３】
請求項６に記載した考案は、少なくとも上下各保持部の当接部を透明体としたものである。上記したように、見開き面のほぼ全面が直接仰臥者の視野に入るが、場合によっては印刷範囲が上部又は下部又はそのいずれも、あるいはヘッダーやフッターが当接部に覆われてしまうことがある。このような場合に当接部を透明体としてあれば、そのまま読むことができるので、仰臥状態での読書を容易化する。
【考案の効果】
【００１４】
本考案は、吊支手段を用いて支持台の任意の位置に書物保持具を装着可能とすることにより仰臥状態で読書が容易となる。書物保持具の構成が極めて簡単なものであるほか、支持台も簡単な構成とし、又は日曜大工などにより製作することも可能であり、書物保持具だけを販売することが可能となるので安価に提供可能となる。吊支手段を取り付けるための梁部材を、梁部材支持具を介して物入れ箱等に取り付けるようにすれば、既存の、又は安価な小物家具等を転用して書物保持具を使用可能となるので、安価に仰臥用書見装置を採用可能となる。また、書物保持具を、第１の背板及び第２の背板にそれぞれ保持部を設け、背板同士が重なりあった状態で摺動可能な構成とすることにより、保持部同士の間隔を調整可能とすれば、１個の書物保持具で複数種類の寸法の本を読書可能となる。また、本の見開き面を下向きにして保持するように書物保持具に装着する場合に、本を直接支持する当接部について下保持部の当接部の幅よりも上保持部の当接部の幅を大きくしてあれば、本の出し入れが容易となる。さらにまた、上下の当接部を透明体としてあれば、本の上下に位置する文字等が当接部と重なってしまったような場合にも判読容易となる。
【考案を実施するための最良の形態】
【００１５】
本考案に係る仰臥用書見装置は、寝具の側端部又は前端部に安定するように立設された支持台に支持された梁部材の所望位置に、取り付け可能かつ仰臥状態で読書可能に書物を保持する書物保持具を備えたものからなる。この説明においては、実施例１として一般的な既製の支持台に書物保持具を吊支したものを取り上げ、実施例２では、単体型の書物保持具をについて説明し、実施例３では、複合型の書物保持具について説明し、さらに実施例４では、実施例１とは異なる構成の支持台について詳しく説明することとする。
【実施例１】
【００１６】
図１は、既製の支持台Ｄに、書物保持具１を吊支してなる仰臥用書見装置を使用して仰臥者Ｐが読書をしている状態を示している。支持台Ｄは、寝具Ｆ等の下に位置させてある台座５１に立設した支柱５５に吊支手段３を介して書物保持具１を取り付け可能としたものからなる。図１に示した支持台Ｄは、寝具Ｆの下面に挟み込まれた台座５１の端部に受け部５１ａが設けてあり、これに支柱受け５３が立設可能となっている。後述するように、この支柱受け５３には曲げモーメントが作用するので、補強部材５３ａで補強可能としてある。支柱受け５３は厚肉管からなり、この管内には丸管からなる支柱５５のポール部５５ａが挿着してある。ポール部５５ａの上端部には、これと一体に梁部材５５ｂが設けてある。梁部材５５ｂの先端部から所定距離の範囲には、書物保持具１を吊り下げるためのフック５５ｃ，…が等間隔に配設してある。書物保持具１は、吊支手段である吊り紐３，３をこれらのフック５５ｃ，…に、任意の長さに調節して引っ掛けることにより仰臥状態で読書可能となる。
【００１７】
支柱５５は、支柱受け５３に設けてある固定手段（クランプ）５４によって所定の状態に固定可能であるが、この固定手段を緩めた状態の下では昇降及び回動自在である。ポール部５５ａと梁部材５５ｂとは、第２の補強部材５５ｅを設けてあることが望ましい。この支持台Ｄは、分解・組立が容易な構成を採用してあるので、運搬や保管に便利である。この支持台は、ポール部５５ａと梁部材５５ｂとは別部材とし、両者を着脱自在とすることによりさらに分解・組立を容易なものとしてもよい。
【実施例２】
【００１８】
図２は、単体型の書物保持具１の基本形状を示したものであり、（ａ）は表面側、（ｂ）は背面側を示している。これには吊支手段としての吊り紐３，３が背板５に穿ってある取付け孔５ａ，…を介して取り付けてある。書物保持具１の構成は、上記の背板５の下部に設けてある下保持部７と、背板５の上部に設けてある上保持部９とからなる。下保持部７は、背板から前方へ直角に立ち上げてなる立ち上げ部７ａと、この立ち上げ部７ａの先端部に固着してある当接部７ｂとからなる。また、上保持部９は同様に立ち上げ部９ａと、当接部９ｂとからなる。下保持部７の当接部の幅（ｈ１）すなわち上方に向けて張り出している幅は、上当接部９の当接部の幅（ｈ２）よりも小さくなっている。これは図３に示すように、セットされた本Ｂは下端部が重力により下保持部７の立ち上げ部７ａと当接状態となるのに対し、上保持部９の立ち上げ部９ａは本をセットする際に必要な余裕を見込んで上方にずらして設けることを可能とするためのものである。なお、上記の説明では、背板と立ち上げ部とを一体にしてあるが、これは製造上の都合により別体とし、又は立ち上げ部と当接部とを一体とし、あるいはこれらの３部材を一体に構成してもよい。
【００１９】
上下の当接部７ｂ，９ｂは、背板５と一体に形成してもよいが、別製部材とし、これらを立ち上げ部の先端部に固着してもよい。当接部７ｂ，９ｂとしてアクリルなどの透明板を採用すれば、セットした本の見開き面の上部及び／又は下部が当接部に覆われるようなことがあっても前方（下方）から読み取り可能となる。
【００２０】
この書物保持具１の背板に設けてある取付け孔５ａ，５ａ（図２参照）に吊支手段である吊り紐３を通して離れないように結び、さらにこれらの紐を図１に示すように、梁部材５５ｂの下側に配設してあるフック５５ｃに取り付ければよい。取付け孔５ａの選択により書物保持具１の傾き角が変化するので、本の傾き角の調整は、取付け孔５ａ，５ａの選択により行えばよい。図３は、書物保持具１に本Ｂを保持してある状態を示したものである。また、本Ｂの設置位置の調整は、吊り紐３の長さ又は支柱５５を昇降させることにより行う。必要に応じて台座５１の位置を調整し、又は支柱を回動させることにより位置の調整を行う（図１参照）。
【実施例３】
【００２１】
図４は、複合型の書物保持具を直立させた状態で示したものである。この書物保持具３１は、２部材を組み合わせることにより下保持部と上保持部との間隔を調整可能な構成を採用したものである。具体的には、下保持部３７を第１の背板３５と一体にした母構造体Ｍと、上保持部３９を第２の背板３５と一体にした子構造体Ｃとを組み合わせたものからなる。子構造体Ｃは、母構造体Ｍに抱かれた状態でセットすべき本の縦方向に並行して摺動可能となっている。
【００２２】
母構造体Ｍは、図５に示すように、第１の背板３５の下端部前面に、下保持部３７の立ち上げ部３７ａが設けてある。下保持部３７は立ち上げ部３７ａの先端部に当接部３７ｂを一体に設けたものからなる。第１の背板３５は、セットしようとする本を充分に収容可能な幅を有するとともに、これらの本の縦長に対応可能な長さを有するものとしてある。第１の背板３５の下端部近傍の表面から本の最小縦長となる範囲には、両側部に子構造体Ｃを抱持するための１対のガイド３５ａ，３５ａが設けてある。ガイド３５ａは本を保持するのに必要な強度を有している必要がある。第１の背板３５には、横幅の中央部に位置決め用の小孔３５ｂ，…が配設してある。第１の背板３５の背面側には、第２実施例における取付け孔５ａ，５ａと同様の機能を果たす吊支用フック部３５ｄ，…（１対だけ図示）が配設してある。位置決めの際に選択した各フック部３５ｄに吊り紐３３，３３を結び付けることにより書物保持具３１を吊支可能とする。
【００２３】
子構造体Ｃは、図６に示すように、第２の背板３６の上端部前面に上保持部３９を設けたものからなる。第２の背板３６の幅は、母構造体Ｍのガイド３５ａ，３５ａに対応可能なものとしてあり（図４参照）、その長さはセットしようとする本の最長縦長に対応可能なものとしてある。上保持部３９は、下保持部と同様に立ち上げ部３９ａとその先端部に固着してある当接部３９ｂとからなる。上保持部３９の当接部３９ｂの幅は下保持部３７の当接部３７ｂの幅よりも大きくしてあることは実施例１と同様である。
【００２４】
第２の背板３６には、横幅の中央部に１〜５個の位置決め手段用小孔３６ｃ，…が設けてある。これらの小孔３６ｃの位置は、下保持部３７と上保持部３９との位置関係を、本をセットするのに適した間隔とすることが望ましい。位置決めは、両背板のいずれかの小孔同士を一致させ、そこに位置決め手段としてのピン４１（図７参照）を背板の背後から差し込むだけでよい。この位置決め手段の小孔の組合せは、上記に拘束されることなく、デザイン、強度その他の要素を考慮して決めることが望ましい。なお、位置決め操作を容易にするために、第２の背板３５の正面に目盛りを付け、あるいは第１の背板３５を透明板又は半透明板で構成することにより、第２の背板に設けてある位置決め孔の位置が容易に判るようにするとよい。
【００２５】
位置決めピン４１は、図７に示すように、ロッド状の装着部４１ａとその先端部に設けてあるつまみ部４１ｂとからなる。つまみ部４１ｂには透孔４１ｃが設けてあり、ストラップ等を取付け可能としてある。この他、位置決めピンの構成は、脱落防止手段を備えることにより使用中の抜け落ちをなくしたものとしてもよい。なお、位置決め手段は上記の構成に拘らず、第１の背板の背面側や前面側のガイド３５ａ等にばね力を利用したクランプなどを採用してもよい。
【００２６】
この書物保持具３１を使用する場合には、書物保持具３１を図１に示す支持台Ｄに取り付ける前に、予め読もうとする本のサイズに合わせて下保持部３７と、上保持部３９との間隔を決め、位置決め手段で位置決めしてから書物保持具に本をセットする。さらに吊支手段（吊り紐）３３を用いて書物保持具３１を支持台Ｄの梁部材５５ｂに取り付ける。この時、本の傾き角や眼からの距離などを予め設定しやすくしておくとよい。見開き面が暗くて読みにくいような場合には、見開き面を明るくするために投光手段を採用してもよい。投光手段は支持台Ｄに取り付けるものや、独立の照明など使用状況に応じたものを採用すればよい。
【実施例４】
【００２７】
実施例４は、図８〜１０に示すように、支持台として本箱等の物入れ箱７１を採用し、梁部材を支持する手段として、梁部材支持具（以下「支持具」という）を本箱等の上に装着するようにしたものである。物入れ箱７１には、本その他の重量物を収納して梁部材７５による曲げモーメントが作用しても倒れないようにする必要がある。梁部材７５は、長さを約８００ｍｍとし、これに作用する曲げモーメントに十分に耐え得る強度を有する木材を用いてある。梁部材７５の基端部近傍には支軸用孔が設けてあり、先端部近傍の下面には吊支手段である鎖３３，３３を掛けるためのフック７５ｂ，７５ｂが取り付けてある（図８参照）。
【００２８】
支持具７３の構成は、図９，１０に示すように、扇形に形成した本体上板部７３ａの一辺（図９後方側）に、本箱７３の縁部７１ａへの係合片７３ｂが設けてある。係合片７３ｂは、直線状になっている一辺を直角に折り曲げ、さらに本箱の縁部７１ａに見合う寸法だけ内側に折り曲げて接片となし、これを縁部７１ａに係合可能としてある。これにより支持具７３によって片持ち支持された梁部材７５が、回転することを阻止可能とするものである。なお、支持具の素材としては、強度の高い合成樹脂成型品やアルミニウムダイカスト品などとすることが望ましい。
【００２９】
扇形に形成してなる本体上板部７３ａの他辺（図９左側）には、ストッパ部材７７を進退させるガイド部７９が設けてある。ガイド部７９は上板部７３ａと一体に形成してあり、ストッパ部材７７を挿通可能な深い穴となっており、挿着してあるストッパ部材７７を進退可能としてある。ストッパ部材７７の先端部には、下方に折り曲げてなる係止部７７ａが設けてある。ガイド部７９の天板部には、ねじを利用したクランプ８３がねじ込んである。ストッパ部材７７は、本体上板部７３ａの係合片７３ｂが本箱の縁部７１ａに係止した状態に維持するためのものである。すなわち、本体上板部７３ａの係合片７３ｂが本箱の縁部７１ａに係止し、この状態で係止部７７ａを本箱７１の前端部に当接し、クランプ８３を締め付けると、支持具７３が本箱上で前後方向への移動が規制されるため、支持具７３の後退が阻止される。この結果、梁部材７５に曲げモーメントが作用しても、係合片７３ｂが本箱の縁部７１ａとの係合関係を維持するため、梁部材７５に書物保持具１を吊支してもこれが回転することはない。
【００３０】
本体上板部７３ａの円弧部のやや内側下方には、この円弧部に沿って帯状に形成してなるレール部７３ｃが設けてある。上板部７３ａの下面と、レール部７３ｃの上面との間隔は、梁部材７５の厚さとほぼ同じとしてあり、梁部材７５はこの間で摺動することにより、支軸８１を中心として揺動可能となっている。この書見装置の使用者は、仰臥前にはこの梁部材７５を、本箱７１の前後の縁部にほぼ平行に近い状態に位置させておけば、寝起き又は仰臥に支障を生じない。仰臥した後に梁部材７５を直角方向に引き寄せ、図８に示すような状態とすることにより仰臥状態で読書可能となる。この支持具は、本箱等に孔を開けずに取り付けるものであるので、孔開けの手間がかからない上に本箱等に傷を付けない利点がある。
【００３１】
このほか、本箱等の上部への梁部材支持具として、ボルト、ナット、座金及び梁受け部材の組み合わせからなる簡易セットとすることにより、本考案に係る書物保持具を吊支する梁部材を取付け可能とすることも可能である。これは、本箱等の天板の所定位置に支軸用孔を開け、この孔を用いてボルト、ナット及び座金を用いて梁部材７５の支軸用孔にこのボルトを挿通し、梁部材を上記の天板に取り付けるものである。梁受け部材は、天板上の支軸の同心円上に表面を平滑にした硬質の合成樹脂板等を貼付し、梁部材の揺動運動を円滑化するとよい。上記の支持具は、構成は簡単であるが、天板に孔を開けることが面倒である上に天板を傷つけてしまう問題があるが、ボルトなどの部品の入手が容易であるため、本考案に係る書物保持具の採用を安価に実現可能とする利点がある。
【００３２】
さらにこのほか、梁部材７５は、簡単な構成の支持具を採用するのであれば、揺動不能なものもとしてもよい。また、支持具として梁部材が進退可能とする構成を採用し、吊支した書物保持具を本箱等の前後に移動可能としてもよい。
【００３３】
以上の説明において、吊支手段として２本の吊り紐又は鎖を用いたものとしてあるが、これを４本の吊り紐等を用い、本の傾斜角を任意に調節することも可能である。また、支持台の構成は、図示したものの他、書物保持具を所望位置に取付け可能なものであればどのようなものであってもよく、例えば料理運搬用のワゴンに梁部材を固定するなど既存の物品を転用したものであってもよい。さらにまた、図１及び図８では、支持台Ｄの梁部材を寝具の横から頭上に延びるようになっているが、梁部材が頭部の先方から伸びるように設置するものであってもよい。この場合の吊支手段はこれに対応した構成とする必要があることは言うまでもない。このほか、梁部材７５は、簡単な構成を採用するものでは、揺動不能なものもとしてもよく、また、天板上に装着してある支持具に対して進退可能に取り付けて、吊支した書物保持具を移動可能としてもよい。
【産業上の利用可能性】
【００３４】
本考案は、書物を保持するための物品に関するものであり、本考案の実施により産業の発展に貢献するものである。
【図面の簡単な説明】
【００３５】
【図１】実施例１の使用状態を示す説明図である。
【図２】実施例１の書物保持具を示しており、（ａ）は前面側、（ｂ）は背面側である。
【図３】実施例１における書物保持具が書物を保持している状態を示した側面図である。
【図４】実施例２の書物保持具の全体構成を示す斜視図である。
【図５】母構造体の正面図である。
【図６】子構造体の正面図である。
【図７】位置決めピンの例を示すもので、（ａ）は正面図、（ｂ）は側面図である。
【図８】実施例４における使用状態を示す斜視図である。
【図９】梁部支持具で梁部材を支持している状態を示す斜視図である。
【図１０】梁部支持具が物入れ箱に装着されている状態を示す断面図である。
【符号の説明】
【００３６】
１，３１        書物保持具
３、３３        吊支手段
５              背板
７、３７        下保持部
９、３９        上保持部
７ａ，９ａ      立ち上げ部
７ｂ，９ｂ      当接部
３５            第１の背板
３６            第２の背板
３７ａ，３９ａ  立ち上げ部
３７ｂ、３９ｂ  当接部
４１            位置決め手段（位置決めピン）
５５            支柱
５５ａ          ポール部
５５ｂ，７５    梁部材
７１            物入れ箱（本箱）
７１ａ          縁部
７３            梁部材支持具
７３ａ          本体上板部
７３ｂ          係止片
７７            ストッパ部材
Ｄ              支持台
Ｂ              書物（本）
Ｆ              寝具
ｈ１，ｈ２      張り出し量
【図１】
0003127332.tif 000003
【図２】
0003127332.tif 000004
【図３】
0003127332.tif 000005
【図４】
0003127332.tif 000006
【図５】
0003127332.tif 000007
【図６】
0003127332.tif 000008
【図７】
0003127332.tif 000009
【図８】
0003127332.tif 000010
【図９】
0003127332.tif 000011
【図１０】
0003127332.tif 000012